【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
他のユーザのプライバシーを保護するために暗号化された前記他のユーザに関連付けられた履歴予約情報に基づいて、ユーザに予約可能なリスティングを提供するためのコンピュータ実施方法であって、
ユーザに関連付けられたクライアントデバイスから検索クエリを受信するステップであって、前記検索クエリはクエリ都市を含む、ステップと、
ユーザによって予約可能な複数のリスティングにアクセスするステップであって、前記リスティングのそれぞれは複数のリスティング都市の１つに位置し、前記リスティング都市の少なくとも１つは前記クエリ都市と異なっている、ステップと、
前記クエリ都市を含む複数の履歴の検索クエリ、および前記複数のリスティング都市の中の複数の履歴の予約にアクセスするステップであって、前記履歴の検索クエリおよび前記履歴の予約は暗号化されて、前記ユーザが前記履歴の検索クエリおよび前記履歴の予約に関連付けられたプライベートユーザ情報を見ることを防止し、前記複数の暗号化された履歴の検索クエリは個人識別情報を欠き、前記複数の暗号化された履歴の検索クエリは、ユーザごと、ウェブブラウジングセッション基準（basis）ごとに格納される、ステップと、
コンピュータプロセッサによって、都市関連サブスコアに基づく前記リスティングのそれぞれに対する場所関連スコアを決定するステップであって、リスティングに対する前記都市関連サブスコアは、ユーザが（ｉ）前記検索クエリに含まれる前記クエリ都市と（ｉｉ）前記リスティング都市の中の前記履歴の予約とを与えられた前記リスティング都市の中の前記リスティングを予約する確率を示す、ステップと、
前記都市関連サブスコアに少なくとも部分的に基づいて、前記リスティングをランク付けするステップと、
前記検索クエリに応答して、ランク付けされた順に、前記リスティングを前記ユーザに関連付けられた前記クライアントデバイスに提供するステップであって、前記リスティングは、前記複数の履歴の予約に関連付けられた前記プライベートユーザ情報を参照せずに、前記ランク付けされた順に提供される、ステップと、
前記検索クエリから個人識別情報を除去することによって、前記検索クエリを暗号化して、前記ユーザに関連付けられたプライベート情報を保護するステップと、
前記クエリ都市に関連して前記暗号化された検索クエリを格納するステップであって、前記格納され、暗号化された検索クエリは、前記クエリ都市を含む後続の検索クエリに応答して前記リスティングをランク付けするために使用される、ステップと、
を含む、コンピュータ実施方法。
【請求項２】
前記履歴の予約は、前記クエリ都市と異なる前記リスティング都市の１つに位置する少なくとも１つの予約を含む、請求項１に記載のコンピュータ実施方法。
【請求項３】
リスティングに対する前記都市関連サブスコアは、前記クエリ都市が前記リスティング都市と同一である場合、リスティングが第１の関数に基づき、および、
前記都市関連サブスコアは、前記クエリ都市が前記リスティング都市と異なる場合、前記第１の関数および追加の重み係数に基づく、請求項１に記載のコンピュータ実施方法。
【請求項４】
前記リスティングに対する前記都市関連サブスコアは、前記クエリ都市を含む履歴の検索クエリとして、同一のウェブブラウジングセッションの間に発生した前記リスティング都市の中の履歴の予約の数に基づく、請求項１に記載のコンピュータ実施方法。
【請求項５】
前記リスティングに対する前記都市関連サブスコアは、前記クエリ都市を含む履歴の検索クエリとして、同一のウェブブラウジングセッションの間に発生した履歴の予約の総数にさらに基づく、請求項４に記載のコンピュータ実施方法。
【請求項６】
前記リスティングに対する前記都市関連サブスコアは、前記クエリ都市を含む履歴の検索クエリとして、同一のウェブブラウジングセッションの間に発生した前記リスティング都市の中の履歴の予約の数に基づく、請求項１に記載のコンピュータ実施方法。
【請求項７】
前記リスティングに対する前記都市関連サブスコアは、前記リスティング都市の中の履歴の予約の総数にさらに基づく、請求項６に記載のコンピュータ実施方法。
【請求項８】
前記リスティングに対する前記都市関連サブスコアは、前記リスティング都市の中のリスティングの数に基づく、請求項１に記載のコンピュータ実施方法。
【請求項９】
前記リスティングに対する前記都市関連サブスコアは、前記リスティング都市の中のリスティングの数、および前記複数のリスティングの中のリスティングの総数に基づく、請求項１に記載のコンピュータ実施方法。
【請求項１０】
他のユーザのプライバシーを保護するために暗号化された前記他のユーザに関連付けられた履歴予約情報に基づいて、ユーザに予約可能なリスティングを提供するためのコンピュータ実施方法であって、
ユーザに関連付けられたクライアントデバイスから検索クエリを受信するステップであって、前記検索クエリはクエリ都市を含む、ステップと、
ユーザによって予約可能な複数のリスティングにアクセスするステップであって、前記リスティングのそれぞれは、前記クエリ都市の中の複数のリスティング地域（neighborhood）の１つに位置する、ステップと、
前記クエリ都市の中の複数の履歴の予約にアクセスするステップであって、前記履歴の予約は暗号化されて、前記ユーザが前記履歴の予約に関連付けられたプライベートユーザ情報を見ることを防止し、前記複数の暗号化された履歴の予約は個人識別情報を欠き、前記複数の暗号化された履歴の予約は、ユーザ基準（basis）ごとに格納される、ステップと、
コンピュータプロセッサによって、地域関連サブスコアに基づく前記リスティングのそれぞれに対する場所関連スコアを決定するステップであって、前記地域関連サブスコアは、ユーザが（ｉ）前記検索クエリに含まれる前記クエリ都市と（ｉｉ）前記クエリ都市の中の前記リスティング地域の中の履歴の予約とを与えられた前記リスティング地域の中の前記リスティングを予約する確率を示す、ステップと、
前記地域関連サブスコアに少なくとも部分的に基づいて、前記リスティングをランク付けするステップと、
前記検索クエリに応答して、ランク付けされた順に、前記リスティングを前記ユーザに関連付けられた前記クライアントデバイスに提供するステップであって、前記リスティングは、前記複数の履歴の予約に関連付けられた前記プライベートユーザ情報を参照せずに、前記ランク付けされた順に提供される、ステップと、
前記検索クエリから個人識別情報を除去することによって、前記検索クエリを暗号化して、前記ユーザに関連付けられたプライベート情報を保護するステップと、
前記クエリ都市に関連して前記暗号化された検索クエリを格納するステップであって、前記格納され、暗号化された検索クエリは、前記クエリ都市を含む後続の検索クエリに応答して前記リスティングをランク付けするために使用される、ステップと、
を含む、コンピュータ実施方法。
【請求項１１】
前記履歴の予約は、前記クエリ都市の中の複数のリスティング地域からのリスティングに対するものである、請求項１０に記載のコンピュータ実施方法。
【請求項１２】
前記リスティングに対する前記地域関連サブスコアは、前記リスティング地域の中の履歴の予約の数に基づく、請求項１０に記載のコンピュータ実施方法。
【請求項１３】
前記リスティングに対する前記地域関連サブスコアは、前記リスティング地域のリスティング都市の中の履歴のリスティングの総数にさらに基づく、請求項１２に記載のコンピュータ実施方法。
【請求項１４】
リスティングに対する前記地域関連サブスコアは、前記リスティング地域の中の利用可能なリスティングの数に基づく、請求項１０に記載のコンピュータ実施方法。
【請求項１５】
リスティングに対する前記地域関連サブスコアは、前記リスティング地域のリスティング都市の中の利用可能なリスティングの総数にさらに基づく、請求項１４に記載のコンピュータ実施方法。
【請求項１６】
ユーザによってもはや予約可能でなくなった複数の履歴のリスティングにアクセスすることであって、前記履歴のリスティングのそれぞれは、前記クエリ都市の中の前記リスティング地域の１つに位置することを含み、
前記リスティングの１つに対する前記地域関連サブスコアは、前記履歴のリスティングにさらに基づく、請求項１０に記載のコンピュータ実施方法。
【請求項１７】
他のユーザのプライバシーを保護するために暗号化された前記他のユーザに関連付けられた履歴予約情報に基づいて、ユーザに予約可能なリスティングを提供するための命令を格納する非一時的なコンピュータ可読媒体であって、前記命令は、プロセッサによって実行されたとき、前記プロセッサに、
ユーザに関連付けられたクライアントデバイスから検索クエリを受信し、前記検索クエリはクエリ都市を含み、
ユーザによって予約可能な複数のリスティングにアクセスし、前記リスティングのそれぞれは複数のリスティング都市の１つに位置し、前記リスティング都市の少なくとも１つは前記クエリ都市と異なっており、
前記クエリ都市を含む複数の履歴の検索クエリ、および前記複数のリスティング都市の中の複数の履歴の予約にアクセスし、前記履歴の検索クエリおよび前記履歴の予約は暗号化されて、前記ユーザが前記履歴の検索クエリおよび前記履歴の予約に関連付けられたプライベートユーザ情報を見ることを防止し、前記複数の暗号化された履歴の検索クエリは個人識別情報を欠き、前記複数の暗号化された履歴の検索クエリは、ユーザごと、ウェブブラウジングセッション基準（basis）ごとに格納され、
コンピュータプロセッサによって、都市関連サブスコアに基づく前記リスティングのそれぞれに対する場所関連スコアを決定し、リスティングに対する前記都市関連サブスコアは、ユーザが（ｉ）前記検索クエリに含まれる前記クエリ都市と（ｉｉ）前記リスティング都市の中の前記履歴の予約とを与えられた前記リスティング都市の中の前記リスティングを予約する確率を示し、
前記都市関連サブスコアに少なくとも部分的に基づいて、前記リスティングをランク付けし、
前記検索クエリに応答して、ランク付けされた順に、前記リスティングを前記ユーザに関連付けられた前記クライアントデバイスに提供し、前記リスティングは、前記複数の履歴の予約に関連付けられた前記プライベートユーザ情報を参照せずに、前記ランク付けされた順に提供され、
前記検索クエリから個人識別情報を除去することによって、前記検索クエリを暗号化して、前記ユーザに関連付けられたプライベート情報を保護し、
前記クエリ都市に関連して前記暗号化された検索クエリを格納し、前記格納され、暗号化された検索クエリは、前記クエリ都市を含む後続の検索クエリに応答して前記リスティングをランク付けするために使用される、
ようにさせる、コンピュータ可読媒体。
【請求項１８】
前記履歴の予約は、前記クエリ都市と異なる前記リスティング都市の１つに位置する少なくとも１つの予約を含む、請求項１７に記載のコンピュータ可読媒体。
【請求項１９】
リスティングに対する前記都市関連サブスコアは、前記クエリ都市が前記リスティング都市と同一である場合、リスティングが第１の関数に基づき、および、
前記都市関連サブスコアは、前記クエリ都市が前記リスティング都市と異なる場合、前記第１の関数および追加の重み係数に基づく、請求項１７に記載のコンピュータ可読媒体。
【請求項２０】
前記リスティングに対する前記都市関連サブスコアは、前記クエリ都市を含む履歴の検索クエリとして、同一のウェブブラウジングセッションの間に発生した前記リスティング都市の中の履歴の予約の数に基づく、請求項１７に記載のコンピュータ可読媒体。
【請求項２１】
前記リスティングに対する前記都市関連サブスコアは、前記クエリ都市を含む履歴の検索クエリとして、同一のウェブブラウジングセッションの間に発生した履歴の予約の総数にさらに基づく、請求項２０に記載のコンピュータ可読媒体。
【請求項２２】
前記リスティングに対する前記都市関連サブスコアは、前記クエリ都市を含む履歴の検索クエリとして、同一のウェブブラウジングセッションの間に発生した前記リスティング都市の中の履歴の予約の数に基づく、請求項１７に記載のコンピュータ可読媒体。
【請求項２３】
前記リスティングに対する前記都市関連サブスコアは、前記リスティング都市の中の履歴の予約の総数にさらに基づく、請求項２２に記載のコンピュータ可読媒体。
【請求項２４】
前記リスティングに対する前記都市関連サブスコアは、前記リスティング都市の中のリスティングの数に基づく、請求項１７に記載のコンピュータ可読媒体。
【請求項２５】
前記リスティングに対する前記都市関連サブスコアは、前記リスティング都市の中のリスティングの数、および前記複数のリスティングの中のリスティングの総数に基づく、請求項１７に記載のコンピュータ可読媒体。
【請求項２６】
他のユーザのプライバシーを保護するために暗号化された前記他のユーザに関連付けられた履歴予約情報に基づいて、ユーザに予約可能なリスティングを提供するための命令を格納する非一時的なコンピュータ可読媒体であって、前記命令は、プロセッサによって実行されたとき、前記プロセッサに、
ユーザに関連付けられたクライアントデバイスから検索クエリを受信し、前記検索クエリはクエリ都市を含み、
ユーザによって予約可能な複数のリスティングにアクセスし、前記リスティングのそれぞれは、前記クエリ都市の中の複数のリスティング地域（neighborhood）の１つに位置し、
前記クエリ都市の中の複数の履歴の予約にアクセスし、前記履歴の予約は暗号化されて、前記ユーザが前記履歴の予約に関連付けられたプライベートユーザ情報を見ることを防止し、前記複数の履歴の予約は個人識別情報を欠き、前記複数の履歴の予約は、ユーザ基準（basis）ごとに格納され、
コンピュータプロセッサによって、地域関連サブスコアに基づく前記リスティングのそれぞれに対する場所関連スコアを決定し、前記地域関連サブスコアは、ユーザが（ｉ）前記検索クエリに含まれる前記クエリ都市と（ｉｉ）前記クエリ都市の中の前記リスティング地域の中の履歴の予約とを与えられた前記リスティング地域の中の前記リスティングを予約する確率を示し、
前記地域関連サブスコアに少なくとも部分的に基づいて、前記リスティングをランク付けし、
前記検索クエリに応答して、ランク付けされた順に、前記リスティングを前記ユーザに関連付けられた前記クライアントデバイスに提供し、前記リスティングは、前記複数の履歴の予約に関連付けられた前記プライベートユーザ情報を参照せずに、前記ランク付けされた順に提供され、
前記検索クエリから個人識別情報を除去することによって、前記検索クエリを暗号化して、前記ユーザに関連付けられたプライベート情報を保護し、
前記クエリ都市に関連して前記暗号化された検索クエリを格納し、前記格納され、暗号化された検索クエリは、前記クエリ都市を含む後続の検索クエリに応答して前記リスティングをランク付けするために使用される、
ようにさせる、コンピュータ可読媒体。
【請求項２７】
前記履歴の予約は、前記クエリ都市の中の複数のリスティング地域からのリスティングに対するものである、請求項２６に記載のコンピュータ可読媒体。
【請求項２８】
前記リスティングに対する前記地域関連サブスコアは、前記リスティング地域の中の履歴の予約の数に基づく、請求項２６に記載のコンピュータ可読媒体。
【請求項２９】
前記リスティングに対する前記地域関連サブスコアは、前記リスティング地域の前記リスティング都市の中の履歴のリスティングの総数にさらに基づく、請求項２８に記載のコンピュータ可読媒体。
【請求項３０】
リスティングに対する前記地域関連サブスコアは、前記リスティング地域の中の利用可能なリスティングの数に基づく、請求項２６に記載のコンピュータ可読媒体。
【請求項３１】
リスティングに対する前記地域関連サブスコアは、前記リスティング地域の前記リスティング都市の中の利用可能なリスティングの総数にさらに基づく、請求項３０に記載のコンピュータ可読媒体。
【請求項３２】
前記命令はさらに、前記プロセッサに、
ユーザによってもはや予約可能でなくなった複数の履歴のリスティングにアクセスし、前記履歴のリスティングのそれぞれは、前記クエリ都市の中の前記リスティング地域の１つに位置する、ようにさせ、
前記リスティングの１つに対する前記地域関連サブスコアは、前記履歴のリスティングにさらに基づく、請求項２６に記載のコンピュータ可読媒体。